(57)【要約】【課題】本発明は、光モジュールへの組み込み時の位置決め調整が簡便であり、及び高精度な光学性能が得られる保持体付きレンズアレイを提供することを目的とする。【解決手段】入射面と出射面と外周面とを備えるレンズアレイ３と、外周面を保持する保持体４と、を備える保持体付きレンズアレイ１であって、外周面が、上面３ｉと、上面３ｉとは反対側の底面３ｇと、上面３ｉと底面３ｇとに連設される側面３ｈ、３ｊと、を有してなり、底面３ｇが保持体４から露出していることを特徴とする保持体付きレンズアレイ１。【選択図】図１
2014002284.tif 000002
【特許請求の範囲】
【請求項１】
入射面と出射面と外周面とを備えるレンズアレイと、
前記外周面を保持する保持体と、を備える保持体付きレンズアレイであって、
前記外周面が、上面と、前記上面とは反対側の底面と、前記上面と前記底面とに連設される側面と、を有してなり、前記底面が前記保持体から露出していることを特徴とする保持体付きレンズアレイ。
【請求項２】
前記レンズアレイの外形が矩形であり、前記レンズアレイの外周面は、前記上面、前記底面と、前記上面と前記底面とに連設される一対の側面からなるとともに、前記保持体は、上面支持部と上面支持部に連接される一対の側面支持部とからなり、前記保持体は前記レンズアレイの前記上面および前記一対の側面を囲うように保持し、前記保持体の一対の側面支持部の端部は、前記レンズアレイの底面よりも突出していないことを特徴とする請求項１に記載の保持体付きレンズアレイ。
【請求項３】
請求項１または請求項２に記載の保持体付きレンズアレイがハウジング内に収納されてなる光モジュールにおいて、前記ハウジング内は中空の空間であり、前記保持体から露出する前記レンズアレイの底面が前記ハウジング内に収納、当接されるように、前記保持体が前記ハウジングに固定されていることを特徴とする光モジュール。
【請求項４】
前記ハウジング内にはレーザーダイオードが収納され、前記保持体付きレンズアレイが、前記レーザーダイオードからの光を受光する位置にて前記ハウジング内に固定されていることを特徴とする請求項３に記載の光モジュール。
【発明の詳細な説明】
【技術分野】
【０００１】
本発明は、光モジュール等に用いられるレンズアレイに係わり、特に、保持体に保持されるレンズアレイに関する。
【背景技術】
【０００２】
近年、光通信ネットワークの高速化や大容量化が進むに従い、光モジュールの簡素化や小型化がますます求められている。また、この高速化や大容量化に伴い、複数の異なる波長の光を用いる波長分割多重通信が普及し、複数の異なる波長の光を夫々の波長毎に受光する複数のレンズを備えるレンズアレイが、光モジュールに用いられている。
【０００３】
この光モジュールの小型化に伴い、レンズアレイと光モジュール側壁との間隔が狭くなっている。そのため、レンズアレイの側面を挟持して搬送するアーム等が、レンズアレイと光モジュール側壁との隙間に入る余地が無くなり、レンズアレイの光モジュールへの組み込みが困難になっている。
【０００４】
そのため、特許文献１に開示される光モジュール５００においては、図１２に示すように、レンズ５０３が金属製の保持体（外枠）５０４に保持され、保持体５０４にはアーム（治具）等でつかめる上方（Ｚ２）に突出する凸部５０６が形成されている。また、固定ガイド（台座）５０５が、光モジュール５００のハウジング（パッケージ）５０７の底部に溶接により固定されている。
【０００５】
そして、アーム等が、凸部５０６を挟持して、固定ガイド５０５に保持体５０４を挿入する。次に、保持体５０４は、アーム等によって上下（Ｚ方向）及び前後（Ｙ方向）に摺動されて、光軸に垂直な（上下）方向および光軸（前後）方向に位置決め調整される。そして、保持体５０４は、固定ガイド５０５に、溶接により固定される。
【０００６】
特許文献２に開示される光モジュール６００においては、図１３に示すように、矩形（四角形）の外形をしたレンズ６０３が、その光学中心が光源であるレーザ素子６０８の光軸と一致するように、接着剤等の固着剤６０４によってハウジング（キャリア）６０７の底部に固定される。
【０００７】
そして、固着剤６０４として紫外線硬化型の接着剤が使用されることがある。また、レンズ６０３の外形部分を金属で構成し、固着剤６０４として半田が使用されることがある。
【先行技術文献】
【特許文献】
【０００８】
【特許文献１】特開２００３−１２４８８７号公報
【特許文献２】特開２０１０−６０８９７号公報
【発明の概要】
【発明が解決しようとする課題】
【０００９】
特許文献２に開示されるレンズ６０３は、図１３に示すように、紫外線硬化型の接着剤である固着剤６０４、または金属（図示しない）および半田である固着剤６０４、を介してハウジング６０７の底部に固定される。
【００１０】
固着剤６０４が紫外線硬化型の接着剤である際には、前記接着剤の上下（Ｚ）方向の寸法誤差に起因して、上下方向の光軸合わせ精度が阻害されるという課題があった。また、光モジュール６００内の温度が高くなると、紫外線硬化型等の樹脂系接着剤は軟化する。そのため、レンズ６０３が位置ずれを起こし、レンズ６０３とレーザ素子６０８との光学的な結合効率が低下するという課題があった。特に、使用時に高温となるレーザ素子６０８の近傍にレンズ６０３が設置される場合には、この問題が顕著であった。
【００１１】
レンズ６０３が、金属（図示しない）および半田である固着剤６０４を介してハウジング６０７の底部に固定される際には、該金属および該半田の上下方向の寸法誤差に起因して、上下方向の光軸合わせ精度が阻害されるという課題があった。
【００１２】
特許文献１においては、固定ガイド５０５とハウジング５０７、及び保持体５０４と固定ガイド５０５を溶接により固定すると共に、保持体５０４を上下に摺動させて光軸に垂直な方向に位置決め調整することで、前述した特許文献２における課題の解決がなされた。
【００１３】
ところが、特許文献１においては、保持体５０４を固定ガイド５０５の底板部５０５ａに当接させて、レンズ５０３をハウジング５０７の底部に固定すると、底板部５０５ａおよび保持体５０４の上下方向の寸法ばらつきのために、レンズ５０３の光軸が、光ファイバ５０２および光学素子５０８の光軸と上下方向にずれてしまう。
【００１４】
そのため、保持体５０４を固定ガイド５０５に挿入し、保持体５０４を上下に摺動させて、光軸に垂直な方向に位置決め調整する必要があった。よって、光モジュール５００へのレンズ５０３の組み込み時の位置決め調整が煩雑になることや、上下方向の光軸合わせ精度が阻害されるという課題が生まれた。
【００１５】
本発明の目的は、このような課題を顧みてなされたものであり、光モジュールへの組み込み時の位置決め調整が簡便であり、高精度な光学性能が得られる保持体付きレンズアレイを提供することである。
【課題を解決するための手段】
【００１６】
本発明の保持体付きレンズアレイは、入射面と出射面と外周面とを備えるレンズアレイと、前記外周面を保持する保持体と、を備える保持体付きレンズアレイであって、前記外周面が、上面と、前記上面とは反対側の底面と、前記上面と前記底面とに連設される側面と、を有してなり、前記底面が前記保持体から露出していることを特徴とする。
【００１７】
金型を用いてプレス成形により製作したレンズアレイを、金属材を切削加工した保持体に固定することで保持体付きレンズアレイを製作することができる。また、保持体付きレンズアレイは、金属材を切削加工した保持体と、加熱して軟化させたガラス素材や樹脂素材と、を金型によりプレス成形する既存の技術で一体成形することもできる。そして、保持体は、レンズアレイの外周面のうち底面を露出するように形成されている。そのため、レンズアレイが金型を用いてプレス成形される際に、金型の高精度な面が、保持体付きレンズアレイの露出する底面に転写される。
【００１８】
また、金型は高精度な寸法精度を有するので、保持体付きレンズアレイを高精度な寸法精度で製作することができる。
【００１９】
このように、保持体付きレンズアレイは、高精度な寸法精度で製作されると共に、保持体から露出する高精度な底面を備える。よって、ハウジングが備える面に保持体付きレンズアレイの露出する底面を当接させることで、上下方向の光軸位置が高精度に定まる。よって、光モジュールへの組み込み時の位置決め調整が簡便である。また、上下方向の光軸合わせに伴う誤差が小さいので、高精度な光学性能が得られる。
【００２０】
よって、本発明によれば、保持体がレンズアレイの底面を露出するように形成されていることにより、光モジュールへの組み込み時の位置決め調整が簡便であり、高精度な光学性能が得られる保持体付きレンズアレイを提供することが可能である。
【００２１】
前記レンズアレイの外形が矩形であり、前記レンズアレイの外周面は、前記上面、前記底面と、前記上面と前記底面とに連設される一対の側面からなるとともに、前記保持体は、上面支持部と上面支持部に連接される一対の側面支持部とからなり、前記保持体は前記レンズアレイの前記上面および前記一対の側面を囲うように保持し、前記保持体の一対の側面支持部の端部は、前記レンズアレイの底面よりも突出していないことが好ましい。
【００２２】
このような態様であれば、保持体がレンズアレイの上面および一対の側面を囲うように保持するので、保持体はレンズアレイを強固に保持することができる。また、保持体に妨げられることなく、保持体から露出する底面をハウジングが備える面に当接させることができる。そして、底面が平面に形成されているので、底面を当接させるハウジングが備える面も平面に形成すればよいので、より簡便である。
【００２３】
本発明の光モジュールは、保持体付きレンズアレイがハウジング内に収納されてなる光モジュールであって、前記ハウジング内は中空の空間であり、前記保持体から露出する前記レンズアレイの底面が前記ハウジング内に収納、当接されるように、前記保持体が前記ハウジングに固定されていることが好ましい。このような態様であれば、上下方向の光軸合わせ精度が向上するので、更に高精度な光学性能が得られる。
【００２４】
前記ハウジング内にはレーザーダイオードが収納され、前記保持体付きレンズアレイが、前記レーザーダイオードからの光を受光する位置にて前記ハウジング内に固定されていることが好ましい。このような態様であれば、前記レーザーダイオードが出射する光を、光ファイバ等に高精度に光学的に結合することができる。
【発明の効果】
【００２５】
本発明によれば、保持体がレンズアレイの底面を露出するように形成されていることにより、光モジュールへの組み込み時の位置決め調整が簡便であり、高精度な光学性能が得られる保持体付きレンズアレイを提供することが可能である。
【図面の簡単な説明】
【００２６】
【図１】第１の実施形態における保持体付きレンズアレイの斜視図である。
【図２】第１の実施形態における保持体付きレンズアレイの正面図である。
【図３】図２に示すＡ−Ａ線に沿って切断して矢印方向から視る断面図である。
【図４】第１の実施形態における固定ガイドの斜視図である。
【図５】第１の実施形態における保持体付きレンズアレイが固定ガイドに固定される出射面側から視る斜視図である。
【図６】第１の実施形態における保持体付きレンズアレイが固定ガイドに固定される入射面側から視る斜視図である。
【図７】第１の実施形態における保持体付きレンズアレイが固定ガイドにより光モジュールのハウジングに固定される斜視図である。
【図８】プレス装置の上金型と下金型との平面図である。
【図９】第１の実施形態における保持体付きレンズアレイの製造方法を説明する図である。
【図１０】第２の実施形態における固定ガイドの斜視図である。
【図１１】第２の実施形態における保持体付きレンズアレイが固定ガイドに固定される出面側から視る斜視図である。
【図１２】特許文献１に開示される光モジュールの透視斜視図である。
【図１３】特許文献２に開示される光モジュールの断面略図である。
【発明を実施するための形態】
【００２７】
＜第１の実施形態＞
本実施形態について、図面に沿って詳細に説明する。図１に、第１の実施形態における保持体付きレンズアレイの斜視図を示す。図２に、第１の実施形態における保持体付きレンズアレイの正面図を示す。図３に、図２に示すＡ−Ａ線に沿って切断して矢印方向から視る断面図を示す。図４に、第１の実施形態における固定ガイドの斜視図を示す。図５と図６に、第１の実施形態における保持体付きレンズアレイが固定ガイドに固定される、出射面側または入射面側から視る斜視図を示す。図７に、第１の実施形態における保持体付きレンズアレイが固定ガイドにより光モジュールのハウジングに固定される斜視図を示す。なお、各図面は、見やすくするために寸法を適宜異ならせて図示している。
【００２８】
本実施形態のレンズアレイ３は、図３、図５、図６に示すように、その表裏面の一方に出射面３ｅを、その表裏面の他方に入射面３ｆを、そして、出射面３ｅに２つのレンズ面３ａ、３ｂを、入射面３ｆに２つのレンズ面３ｃ、３ｄを有して構成されている。
【００２９】
出射面３ｅ及び入射面３ｆの外形は、図２、図５、図６に示すように、矩形である。レンズアレイ３の外周面が、出射面３ｅと入射面３ｆとの間に位置し、両者に連接され形成されている。外周面は、図２に示すように、上方（Ｚ２方向）に上面３ｉと、上面３ｉとは反対側の下方（Ｚ１方向）に底面３ｇと、上面３ｉと底面３ｇとに連設される一対の側面３ｈ、３ｊと、を有して構成されている。そして、外周面３ｇ、３ｈ、３ｉ、３ｊは、レンズアレイ３の光軸３ｍ、３ｎ（図１に図示）に対して平行であるように形成されている。
【００３０】
金属製の保持体４が、図２に示すように、上方（Ｚ２方向）に上面支持部４ａと、上面支持部４ａに連接される一対の側面支持部４ｂ、４ｃを有して構成されている。保持体４は、レンズアレイ３の上面３ｉおよび一対の側面３ｈ、３ｊを囲うように保持している。その際、保持体４の一対の側面支持部４ｂ、４ｃの端部は、レンズアレイ３の底面３ｇよりも突出していない。すなわち、保持体４は、底面３ｇに隣接する側面３ｈ、３ｊのうちで底面３ｇに隣接する部分を除いて、側面３ｈ、３ｊを囲うように保持している。
【００３１】
このように、保持体４がレンズアレイ３の外周面のうちの３つの上面３ｉ、側面３ｈ、および側面３ｊを覆うように形成されているので、保持体４はレンズアレイ３を強固に保持することができる。
【００３２】
本実施形態によれば、底面３ｇに隣接する側面３ｈ、３ｊのうちで底面３ｇに隣接する部分を保持体４から露出させたが、これに限定されるものではない。底面３ｇに隣接する側面３ｈ、３ｊの全てが、保持体４に被覆されていることも可能である。
【００３３】
本実施形態によれば、４つの上面３ｉ、底面３ｇ、側面３ｈ、３ｊが平坦な平面に形成されているが、これに限定されるものではなく、曲面であっても構わない。
【００３４】
本実施形態においては、光学機能面としてレンズ面３ａ、３ｂ、３ｃ、３ｄを設けたが、他の光学機能面も可能であり、たとえば回折格子面も可能である。また、光学機能面としてレンズ面３ａ、３ｂ、３ｃ、３ｄのように、４つのレンズ面を設けたが、対向するどちらかが光学機能面でないことも可能であり、たとえば平坦な面であることも可能である。また、レンズ面を表裏面のそれぞれに２つ設けたが、２つ以上設けることも可能である。
【００３５】
保持体４には、図２に示すように、レンズアレイ３の上面３ｉ側から上方（Ｚ２方向）に突出する凸部６が形成されている。そして、保持体付きレンズアレイ１は、凸部６を有する保持体４とレンズアレイ３とが一体に形成されて構成されている。よって、搬送用のアーム等は、凸部６を挟持して、保持体付きレンズアレイ１を、光学系や、光モジュール等のハウジング内に組み込むことが可能である。
【００３６】
本実施形態においては、図７に示すように、光モジュール１０は、中空の空間を有するハウジング７を有し、ハウジング７内の後方（Ｙ２方向）側に、台座７ａが設けられている。そして、出射部を前方（Ｙ１方向）側に向ける２つのレーザーダイオード８ａ、８ｂが、台座７ａの上に設けられている。
【００３７】
ハウジング７内の前方（Ｙ１方向）側に位置するハウジング７の底部に、固定ガイド５がレーザ照射等の溶接により固定されている。この溶接痕として、２つの溶接点９ｂ、９ｂを図示している。
【００３８】
そして、保持体付きレンズアレイ１が、固定ガイド５に固定されている。保持体付きレンズアレイ１の２つのレンズ面３ａ、３ｂに、それぞれ２つの光ファイバ２ａ、２ｂの端面が対向するように、保持体付きレンズアレイ１の前方（Ｙ１方向）側に、２つの光ファイバ２ａ、２ｂが設けられている。また、２つのレンズ面３ａ、３ｂと、２つの光ファイバ２ａ、２ｂの端面と、が対向する間にあるハウジング７の側壁には、貫通孔が設けられている。
【００３９】
固定ガイド５は、図４に示すように、その底部に水平（ＸＹ面に平行）に設けられる底板部５ａを有し、底板部５ａの両側部より立設する互いに平行な２面の保持体支持壁５ｂを有して構成されている。
【００４０】
そして、図５、図６に示すように、保持体付きレンズアレイ１が２面の保持体支持壁５ｂ間に挿入され、保持体付きレンズアレイ１の露出された底面３ｇを固定ガイド５の底板部５ａに当接させて、保持体付きレンズアレイ１を前後（Ｙ）方向に動かして、光軸調整のための位置決め調整がなされる。
【００４１】
保持体４は、図２に示すように、底面３ｇに隣接する側面３ｈ、３ｊのうちで底面３ｇに隣接する部分を覆っていない。よって、露出された底面３ｇは、図５、図６に示すように、保持体４に妨げられることなく、固定ガイド５の底板部５ａに当接させることができる。また、保持体４が底面３ｇに隣接する側面３ｈ、３ｊの全てを覆っている場合も、保持体４の一対の側面支持部４ｂ、４ｃの端部が底面３ｇから下方（Ｚ１方向）に突出していなければ、露出された底面３ｇは、固定ガイド５の底板部５ａに当接させることができる。
【００４２】
その際、保持体付きレンズアレイ１を前後に自在に動かすことができるように、図５、図６に示すように、固定ガイド５が備える２つの保持体支持壁５ｂは構成されている。そして、位置決め調整がなされた後に、レーザ照射等の溶接により、保持体付きレンズアレイ１は、保持体４と保持体支持壁５ｂを溶接して、固定ガイド５に固定される。この溶接痕として、２つの溶接点９ａ、９ａを図示している。
【００４３】
本実施形態によれば、保持体付きレンズアレイ１の露出された底面３ｇが、平面で形成されているので、露出された底面３ｇを当接させる固定ガイド５の底板部５ａの上面（Ｚ２方向の面）も平面でよい。よって、固定ガイド５の加工はより簡便である。また、露出された底面３ｇ及び底板部５ａは、高精度に形成することができるので、光学的な性能において優れる。
【００４４】
本実施形態によれば、固定ガイド５は、たとえば、鉄に、ニッケルとコバルトを配合した合金であるコバールから形成することが好ましいが、コバールに限定されることはない。ステンレス鋼等から形成することも可能である。
【００４５】
このようにして、光モジュール１０においては、２つのレーザーダイオード８ａ、８ｂから出射される２つの光が、保持体付きレンズアレイ１によって、光ファイバ２ａ、２ｂの各端面に高精度に光学的に結合される。
【００４６】
本実施形態によれば、レーザーダイオード及び光ファイバは、それぞれ２つ設けているが、これに限定されるものではなく、それぞれ２つ以上設けることも可能である。
【００４７】
光通信に用いられる光モジュールの小型化が求められ、そのハウジングの小型化がなされている。そのため、図７に示すように、レンズアレイ３を組み込むハウジング７の側壁とレンズアレイ３との間隔が狭くなっている。しかし、上方（Ｚ２方向）に突出する凸部６を有する保持体付きレンズアレイ１を用いることで、小型化に対応することが可能である。
【００４８】
すなわち、保持体付きレンズアレイ１をハウジング７内に挿入する際に、凸部６が上方に突出しているので、凸部６を挟持する搬送用のアーム等は、ハウジング７の側壁とレンズアレイ３との隙間に入ることはない。よって、光モジュール１０等のハウジング７の小型化がなされても、アーム等は凸部６を挟持して保持体付きレンズアレイ１を搬送し、レンズアレイ３を光モジュール１０に組み込むことが可能である。また、アーム等は、凸部６を挟持して、保持体付きレンズアレイ１を固定ガイド５内で前後に動かして位置決め調整を行うことができる。
【００４９】
よって、光モジュール１０等のハウジング７の小型化がなされても、ハウジング７へのレンズアレイ３の組み込みが困難になることはないので、保持体付きレンズアレイ１は、光モジュール１０等の小型化に適する。
【００５０】
保持体付きレンズアレイ１は、図５、図６に示すように、保持体４によって固定ガイド５に固定される。そのため、保持体付きレンズアレイ１は、その露出する底面３ｇを接着剤等によって固定ガイド５の底板部５ａに固定する必要はない。よって、接着剤等の上下（Ｚ）方向の寸法誤差に起因して、上下方向の光軸合わせ精度が阻害されることはないので、高精度な光学性能が得られる。
【００５１】
また、図７に示すように、保持体付きレンズアレイ１が光モジュール１０等のハウジング７内に固定される際、保持体４が金属製であることにより、レーザ照射等により保持体４を溶かしてハウジング７内に設置される固定ガイド５に溶接により固定することができる。そのため、レーザーダイオード８ａ、８ｂ等によりハウジング７内の温度が高くなっても、溶接点９ａが軟化することはないので、保持体付きレンズアレイ１が位置ずれを起こすことはない。よって、保持体付きレンズアレイ１を用いることで、光モジュール１０等は、高精度な光学性能を安定的に維持することが可能である。
【００５２】
保持体付きレンズアレイ１の製造方法を、図８と図９を用いて説明する。図８は、プレス装置の上金型と下金型との平面図である。図９は、第１の実施形態における保持体付きレンズアレイの製造方法を説明する図である。
【００５３】
保持体付きレンズアレイ１を製造するために、図９（ａ）に示す工程で、プレス装置４０を準備する。プレス装置４０は、上金型４１、下金型４２、胴型４３、およびヒータ４４を有して構成されている。
【００５４】
そして、図８に示すように、上金型４１は、レンズ面３ａ、３ｂ（図５に図示）に対応するレンズ形状面４１ａ、４１ｂを有している。下金型４２は、レンズ面３ｃ、３ｄ（図６に図示）に対応するレンズ形状面４２ｃ、４２ｄ、保持体４（図５、図６に図示）に対応する保持体形状面４２ｅ、および保持体４から露出するレンズアレイの底面３ｇ（図５、図６に図示）に対応するレンズアレイ側面形状面４２ｆを有している。
【００５５】
次に、図９（ｂ）に示す工程で、開口部からレンズ素材４５と保持体４を挿入し下金型４２上に置く。そして、ヒータ４４によってレンズ素材４５を軟化点以上に加熱する。本実施形態では、レンズ素材４５はガラス素材であるが、ガラス素材に限定されるものではなく、樹脂素材等も可能である。
【００５６】
次に、図９（ｃ）に示す工程で、上金型４１及び下金型４２によって上下からレンズ素材４５をプレスする。その際、軟化したレンズ素材４５によって、保持体４が保持体形状面４２ｅに押し付けられた状態で、上金型４１及び下金型４２の金型形状がレンズ素材４５に転写されて、保持体付きレンズアレイ１が形成される。
【００５７】
次に、図９（ｄ）に示す工程で、ヒータ４４の電源が切られ所定の温度まで冷却される。そして、上金型４１及び下金型４２が胴型４３から引き抜かれ、保持体付きレンズアレイ１が上金型４１及び下金型４２から離型される。このように、保持体付きレンズアレイ１は、レンズアレイ３と保持体４とをプレス成形により一体に製作される。
【００５８】
保持体４の熱膨張率がレンズ素材４５の熱膨張率より大きくなるように、保持体４とレンズ素材４５との素材は選択されている。このように選択されて、レンズ素材４５の軟化点以上の温度から室温に戻されることで、レンズアレイ３は保持体４に圧縮されて強固に固定される。
【００５９】
このような関係にある保持体４およびレンズ素材４５として、保持体４としては、たとえばフェライト系ステンレス鋼等や、レンズ素材４５としては、たとえば（株）オハラ製の硝種であるＬ−ＬＡＨ８４，Ｌ−ＢＡＬ４２等を選ぶことができる。
【００６０】
本実施形態における保持体付きレンズアレイ１の製造方法では、ヒータ４４によってレンズ素材４５は軟化点以上に加熱される。そして、上金型４１及び下金型４２の金型形状は、レンズ素材４５が軟化した状態で、レンズ素材４５に転写される。そのため、上金型４１及び下金型４２の金型形状は、レンズアレイ３に高精度に転写される。よって、上金型４１及び下金型４２の加工精度や寸法精度を上げれば、保持体付きレンズアレイ１の加工精度や寸法精度を上げることができ、特にレンズアレイ側面形状面４２ｆの形状及び平坦性の加工精度、及びレンズアレイ側面形状面４２ｆとレンズ形状面４２ｃ、４２ｄ間の寸法精度を上げれば、保持体４から露出するレンズアレイ３の底面３ｇ（図６に図示）の形状及び平坦性の加工精度、保持体４から露出するレンズアレイの底面３ｇとレンズ面３ｃ、３ｄ（図６に図示）間の寸法精度を上げることができる。
【００６１】
本実施形態においては、加工精度及び寸法精度が高精度な上金型４１及び下金型４２を用いており、保持体付きレンズアレイ１の加工精度及び寸法精度は高精度に加工されている。特に下金型４２は、そのレンズアレイ側面形状面４２ｆの形状及び平坦性の加工精度、及びレンズアレイ側面形状面４２ｆとレンズ形状面４２ｃ、４２ｄ間の寸法精度が高精度なものを用いており、保持体４から露出するレンズアレイ３の底面３ｇ（図６に図示）の形状及び平坦性の加工精度、及び保持体４から露出するレンズアレイ３の底面３ｇとレンズ面３ｃ、３ｄ（図６に図示）間の寸法精度は、高精度に形成される。
【００６２】
よって、図５、図６に示すように、保持体付きレンズアレイ１の高精度に加工された形状及び平坦性を有する底面３ｇを固定ガイド５の底板部５ａの上面（Ｚ２方向）に当接すように設置すると、保持体４から露出するレンズアレイ３の底面３ｇとレンズ面３ｃ、３ｄ間の寸法精度が高精度に形成されているので、レンズ面３ｃ、３ｄの光軸は、各レーザーダイオード８ａ、８ｂ及び光ファイバ２ａ、２ｂの光軸と上下（Ｚ）方向に対して高精度に一致する。
【００６３】
そのため、本実施形態においては、保持体付きレンズアレイ１の光軸位置は、固定ガイド５内で上下（Ｚ）方向において高精度である。よって、保持体４から露出するレンズアレイ３の底面３ｇを固定ガイド５の底板部５ａに当接させて、保持体付きレンズアレイ１を固定ガイド５内で前後（Ｙ方向）に動かすことで、高精度な光軸調整が可能である。
【００６４】
よって、本実施形態によれば、光モジュール１０等へのレンズアレイ３の組み込み時における位置決め調整が簡便にできる。また、保持体付きレンズアレイ１の光軸位置が、固定ガイド５内で上下（Ｚ）方向において高精度であるので、この調整を要因とする誤差は小さい。そのため、本実施形態によれば、高精度な光学性能が得られる。
【００６５】
＜第２の実施形態＞
図１０に、第２の実施形態における固定ガイドの斜視図を示す。図１１に、第２の実施形態における保持体付きレンズアレイが固定ガイドに固定される出射面側から視る斜視図を示す。
【００６６】
本実施形態における固定ガイド５は、図１０に示すように、底板部を有していない。そして、保持体付きレンズアレイ１は、図１１に示すように、２つの保持体支持壁５ｂの間に挿入されて、前後（Ｙ方向）に動かされて光軸調整が行われる。光軸調整が終わると、保持体付きレンズアレイ１は、２つの保持体支持壁５ｂに溶接されて、固定ガイド５に固定される。
【００６７】
固定ガイド５は、図示していないが、第１の実施形態と同じように光モジュール等のハウジングに溶接により固定されている。
【００６８】
本実施形態によれば、固定ガイド５が底板部を有していないので、保持体付きレンズアレイ１の保持体４から露出する底面３ｇは、ハウジングの内側面の一部である底面に当接されている。そのため、本実施形態は、第１の実施形態と比較すると、固定ガイド５の底板部の厚さを要因とする上下方向の寸法誤差を含まない。よって、本実施形態によれば、上下方向の光軸合わせ精度が向上するので、更に高精度な光学性能が得られる。
【符号の説明】
【００６９】
１  保持体付きレンズアレイ
２ａ、２ｂ  光ファイバ
３  レンズアレイ
３ａ、３ｂ、３ｃ、３ｄ  レンズ面
３ｅ  出射面
３ｆ  入射面
３ｉ  上面
３ｇ  底面
３ｈ、３ｊ  側面
３ｍ、３ｎ  光軸
４  保持体
５  固定ガイド
５ａ  底板部
５ｂ  保持体支持壁
６  凸部
７  ハウジング
８ａ、８ｂ  レーザーダイオード
９ａ、９ｂ  溶接点
１０  光モジュール
【図１】
2014002284.tif 000003
【図２】
2014002284.tif 000004
【図３】
2014002284.tif 000005
【図４】
2014002284.tif 000006
【図５】
2014002284.tif 000007
【図６】
2014002284.tif 000008
【図７】
2014002284.tif 000009
【図８】
2014002284.tif 000010
【図９】
2014002284.tif 000011
【図１０】
2014002284.tif 000012
【図１１】
2014002284.tif 000013
【図１２】
2014002284.tif 000014
【図１３】
2014002284.tif 000015